(57)【要約】【課題】洗浄水の漏れを防止する。【解決手段】水洗式大便器Ａは、便鉢部１０のリム通水路１１に洗浄水を供給する供給路２６Ｌ，２６Ｒを有し、供給路２６Ｌ，２６Ｒの下面側部分を形成する第１成形体４０と、供給路２６Ｌ，２６Ｒの上面側を形成する第２成形体５０とを上下に接合させて構成された陶器製のものであり、第１成形体４０と第２成形体５０に形成されたリブ４１Ｌ，４１Ｒ，５１Ｌ，５１Ｒによって構成された左右一対の外側壁部３０Ｌ，３０Ｒと、両外側壁部３０Ｌ，３０Ｒの間に配され、第１成形体４０の上面と第２成形体５０の下面から突出し、相手側の成形体４０，５０と非接触の仕切部４３，５３とを備え、仕切部４３，５３に沿った空間が、供給路２６Ｌ，２６Ｒとなっている。【選択図】図４
2015190218.tif 000002
【特許請求の範囲】
【請求項１】
便鉢部のリム通水路に洗浄水を供給する供給路を有し、
前記供給路の下面側部分を形成する第１成形体と、前記供給路の上面側を形成する第２成形体とを上下に接合させて構成された陶器製の水洗式大便器であって、
前記第１成形体の上面と前記第２成形体の下面のうち少なくとも一方に形成されたリブによって構成された左右一対の外側壁部と、
前記左右一対の外側壁部の間に配され、前記第１成形体の上面と前記第２成形体の下面のうち少なくとも一方の成形体側から突出し、相手側の成形体とは非接触の仕切部とを備え、
前記仕切部の側縁に沿った空間が前記供給路となっていることを特徴とする水洗式大便器。
【請求項２】
前記仕切部が、左右方向における略中央部に配されており、
前記左右一対の外側壁部と前記仕切部とによって左右に区画された２つの空間が、２本の前記供給路となっていることを特徴とする請求項１記載の水洗式大便器。
【請求項３】
前記第２成形体の上面には、前記便鉢部とほぼ同じ幅の載置面部が形成されており、
前記左右一対の外側壁部が、前記載置面部の左右両外縁よりも内側に配されていることを特徴とする請求項１又は請求項２記載の水洗式大便器。
【請求項４】
給水口に接続される基端部と、前記基端部から分岐して前記左右２本の供給路内に挿通される２本の分岐ホースとを有するディストリビュータを備えており、
前記左右一対の外側壁部が、前記分岐ホースを前記供給路内に挿通するときのガイドとなっていることを特徴とする請求項２記載の水洗式大便器。
【発明の詳細な説明】
【技術分野】
【０００１】
本発明は、水洗式大便器に関する。
【背景技術】
【０００２】
特許文献１には、上縁部にリム通水路が形成された便鉢部と、便鉢部の後方に配置された洗浄タンクを載置するとともに便座を取り付けるための給水部とを備える陶器製の便器本体が開示されている。給水部の内部には、洗浄水をリム通水路に供給するための給水路が形成されている。給水路は、給水部の後端の給水口から前方に延びた１本の共用流路を有しており、共用流路の前端は、二股に分岐してリム通水路に連通している。
【先行技術文献】
【特許文献】
【０００３】
【特許文献１】特開２００２−００４３９２号公報
【発明の概要】
【発明が解決しようとする課題】
【０００４】
便器本体の製造は、成形工程、接合工程、乾燥工程、施釉工程、焼成工程を経て行われる。成形工程では、給水部とリム通水路の下側領域を構成する第１成形体と、給水部とリム通水路の上側領域を構成する第２成形体を、夫々、別々に鋳込み成形する。接合工程では、第１成形体の上に第２成形体を重ね合わせ、泥漿により両成形体を接着する。
【０００５】
給水部は、その上面に給水タンクを載置する必要上、幅広に構成される。一方、共用流路は、強い流れを生成するために、幅狭の経路にする必要がある。したがって、給水部には、左右一対の外側壁部が形成されるのに加え、両外側壁部の内側に、共用流路を形成するための左右一対の内側壁部が形成される。ところが、鋳込み成形された第１成形体と第２成形体の寸法精度は比較的低いため、接合工程では、第１成形体の外側壁部と第２成形体の外側壁部とが接合していることは目視で確認できるのであるが、両外側壁部の内側に位置する内側壁部に関しては、第１成形体の内側壁部と第２成形体の内側壁部が接合していることを目視で確認することはできない。そのため、内側壁部が正しく接合されずに接合面に空気が閉じ込められた状態となっていた場合には、閉じこめられた空気が焼成工程で膨張し、その結果、内側壁部に亀裂が生じ、洗浄水が、共用流路の外、即ち、内側壁部と外側壁部との間の空間へ漏出する虞がある。
【０００６】
本発明は、上記従来の実情に鑑みてなされたものであって、洗浄水の漏出を防止することを解決すべき課題としている。
【課題を解決するための手段】
【０００７】
本発明の水洗式大便器は、便鉢部のリム通水路に洗浄水を供給する供給路を有し、前記供給路の下面側部分を形成する第１成形体と、前記供給路の上面側を形成する第２成形体とを上下に接合させて構成された陶器製の水洗式大便器であって、
前記第１成形体の上面と前記第２成形体の下面のうち少なくとも一方に形成されたリブによって構成された左右一対の外側壁部と、
前記左右一対の外側壁部の間に配され、前記第１成形体の上面と前記第２成形体の下面のうち少なくとも一方の成形体側から突出し、相手側の成形体と非接触の仕切部とを備え、前記仕切部の側縁に沿った空間が前記供給路となっていることを特徴とする。
【発明の効果】
【０００８】
給水部を構成する左右一対の外側壁部に関しては、第１成形体と第２成形体を接合させる工程で接合状態を目視確認できるので、確実に接合させることができる。したがって、焼成工程で外側壁部に亀裂が生じる虞が無く、亀裂の発生に起因して供給路内の洗浄水が外側壁部から給水部の外へ漏出することが防止される。また、左右一対の外側壁部の間に配された仕切部に関しては、相手側の仕切部又は成形体と接合されているかどうかを目視確認することはできない。しかし、仕切部は相手側の成形体とは非接触なので、仕切部において第１成形体と第２成形体との間に空気が閉じこめられることはない。したがって、焼成工程で仕切部に亀裂が発生する虞がなく、仕切部で亀裂が発生することに起因する洗浄水の漏出が防止される。
【図面の簡単な説明】
【０００９】
【図１】実施例１の水洗式大便器の側断面図
【図２】第１成形体の形状をあらわす平断面図
【図３】第２成形体の形状をあらわす底断面図
【図４】図２のＸ−Ｘ線断面図
【図５】実施例２の水洗式大便器の側断面図
【図６】第１成形体の形状をあらわす平断面図
【図７】図６のＹ−Ｙ線断面図
【発明を実施するための形態】
【００１０】
（１）本発明の水洗式大便器は、前記仕切部が、左右方向における略中央部に配されており、前記左右一対の外側壁部と前記仕切部とによって左右に区画された２つの空間が、２本の前記供給路となっていてもよい。この構成によれば、１カ所に設けた仕切部によって２本の供給路を形成することができる。
（２）本発明の水洗式大便器は、前記第２成形体の上面には、前記便鉢部とほぼ同じ幅の載置面部が形成されており、前記左右一対の外側壁部が、前記載置面部の左右両外縁よりも内側に配置されていてもよい。この構成によれば、外側壁部を構成するリブの接合面の継ぎ目が、載置面部に隠れて上から見えないので、美観を損なわずに済む。
【００１１】
（３）本発明の水洗式大便器は、（１）において、給水口に接続される基端部と、前記基端部から分岐して前記左右２本の供給路内に挿通される２本の分岐ホースとを有するディストリビュータを備えており、前記左右一対の外側壁部が、前記分岐ホースを前記供給路内に挿通するときのガイドとなっていてもよい。この構成によれば、外側壁部のガイド機能により、分岐ホースを前記供給路内に挿通し易くなるので、ディストリビュータを給水部に取り付ける際の作業性が向上する。
【００１２】
＜実施例１＞
以下、本発明を具体化した実施例１を図１〜図４を参照して説明する。尚、以下の説明において、前後方向に関しては、図１における右側及び図２，３における下側を前側と定義する。また、左右方向に関しては、図２，４にあらわれる向きを、そのまま左側及び右側と定義する。
【００１３】
本実施例１の水洗式大便器Ａは、図１に示すように、上面が開放された形態であって汚物（図示省略）を受け止めるための略擂鉢状の便鉢部１０と、給水部２０とを備えて構成されている。図２に示すように、便鉢部１０の上縁部にはリム通水路１１が形成されている。便鉢部１０の上縁部における右後端部には、上流端が後方に開口した第１吐水路１２Ｒと、第１吐水路１２Ｒの下流端においてリム通水路１１に向けて開口した第１吐水口１３Ｒとが形成されている。便鉢部１０の上縁部における左後端部には、上流端が後方に開口した第２吐水路１２Ｌと、第２吐水路１２Ｌの下流端においてリム通水路１１に向けて開口した第２吐水口１３Ｌとが形成されている。便鉢部１０内の汚物は、第１吐水口１３Ｒと第２吐水口１３Ｌからリム通水路１１に吐出された洗浄水（図示省略）により、封水部１４と排水路１５とを順に通って排出されるようになっている。
【００１４】
給水部２０は、便鉢部１０の後方に配置され、便鉢部１０と一体をなすように形成されている。給水部２０は、洗浄水を貯留する洗浄タンク（図示省略）を支持する機能と、便座（図示省略）を支持するための機能と、洗浄タンクに貯留されている洗浄水を便鉢部１０に供給するための機能とを兼ね備えている。給水部２０の上面のうちの前半領域には、便座を取り付けるための手段として便鉢部１０とほぼ同じ幅の載置面部２１が形成されている。また、給水部２０の上面のうちの後半領域は、上方へ開放された開口部２２が形成されていて、この開口部２２には洗浄タンクが液密状に取り付けられるようになっている。給水部２０の後端部には、洗浄タンクの底面の給水口２３が臨んでいる。給水口２３は、給水部２０の左右方向における中央に位置している。
【００１５】
図２に示すように、給水部２０の内部には、給水口２３からリム通水路１１に洗浄水を供給するための導水路２４が形成されている。導水路２４は、給水口２３に連通するように形成された後部空間２５、後部空間２５から斜め右前方へ延びるように形成された右側供給路２６Ｒ（請求項に記載の供給路）と、後部空間２５から斜め左前方へ延びるように形成された左側供給路２６Ｌ（請求項に記載の供給路）とを備えて構成されている。右側供給路２６Ｒの下流端（前端）は、第１吐水路１２Ｒの上流端に連通し、左側供給路２６Ｌの下流端（前端）は、第２吐水路１２Ｌの上流端に連通している。したがって、給水口２３から後部空間２５に流入した洗浄水は、左右に分岐し、右側供給路２６Ｒと第１吐水路１２Ｒを経て第１吐水口１３Ｒから吐出される経路と、左側供給路２６Ｌと第２吐水路１２Ｌを経て第２吐水口１３Ｌから吐出される経路とを経て、リム通水路１１に供給されるようになっている。
【００１６】
導水路２４は、略水平な下面部２７と、略水平な上面部２８と、左右方向に延びた後壁部２９と、前後方向に延びた左右一対の外側壁部３０Ｌ，３０Ｒと、便鉢部１０の上縁部の一部を構成する前壁部３１とで囲まれた形態となっている。上面部２８は、便鉢部１０の上縁部と同じ高さに配置され、下面部２７は、上面部２８よりも少し低い高さに配置されている。後壁部２９は、下面部２７の後端縁から上方へ立ち上がっている。左右一対の外側壁部３０Ｌ，３０Ｒは、下面部２７と上面部２８の左右両側縁同士を連結した形態である。前壁部３１は、下面部２７と上面部２８の前縁同士を連結した形態である。
【００１７】
左右一対の外側壁部３０Ｌ，３０Ｒは、平面視において、載置面部２１の左右両側縁よりも左右方向内側に配置されている。図２，３に示すように、左右一対の外側壁部３０Ｌ，３０Ｒの平面視形状は、両外側壁部３０Ｌ，３０Ｒの左右方向の間隔が前後方向における略中央部で最も狭くなるように屈曲した形状である。つまり、平面視において、一対の外側壁部３０Ｌ，３０Ｒの前端側領域は、前後方向線（図示省略）に対し、給水口２３に向かって相互間隔が狭まるように傾斜している。また、一対の外側壁部３０Ｌ，３０Ｒの後端側領域は、前後方向線（図示省略）に対し、給水口２３に向かって相互間隔が拡がるように傾斜している。左右一対の外側壁部３０Ｌ，３０Ｒの前端は、便鉢部１０の上縁部を構成する外縁壁１６に連なっている。
【００１８】
給水部２０の内部には、左右両供給路２６Ｌ，２６Ｒを区画するための区画部３２が設けられている。区画部３２は、給水部２０（導水路２４）の左右方向における中央部に配置されている。したがって、左側の外側壁部３０Ｌと区画部３２と右側の外側壁部３０Ｒが左右に間隔を空けて並んだ形態となっている。そして、左右両外側壁部３０Ｌ，３０Ｒと区画部３２との間の空間が、左右２本の供給路２６Ｌ，２６Ｒとなっている。また、前後方向において、区画部３２は、後壁部２９と前壁部３１との間に配置されている。そして、後壁部２９と区画部３２の後縁との間の空間が、給水口２３と連通する後部空間２５となっている。後部空間２５の左右両端部には、左右両供給路２６Ｌ，２６Ｒの上流端（後端）が連通している。
【００１９】
右側供給路２６Ｒの右壁面は、右側の外側壁部３０Ｒによって構成されているが、右側の外側壁部３０Ｒは斜め右前方に延びているので、右側供給路２６Ｒも、下流側に向かって斜め右前方に延びた経路となっている。一方、左側供給路２６Ｌの左壁面は、左側の外側壁部３０Ｌによって構成されているが、左側の外側壁部３０Ｌは斜め左前方に延びているので、左側供給路２６Ｌも、下流側に向かって斜め左前方に延びた経路となっている。つまり、左右２本の供給路２６Ｌ，２６Ｒは、後部空間２５から左右に分岐し、給水口２３から前方のリム通水路１１（下流側）に向かって左右方向の相互間隔が次第に拡がるような流路となっている。
【００２０】
本実施例１の水洗式大便器Ａは、陶器製であり、成形工程、接合工程、乾燥工程、施釉工程、焼成工程を経て製造される。成形工程では、給水部２０の下面側部分を形成する第１成形体４０と、給水部２０の上面側部分を形成する第２成形体５０が、別々に鋳込み成形される。接合工程では、第１成形体４０の上に第２成形体５０を重ね合わせ、泥漿により両成形体４０，５０を接着する。
【００２１】
図１に示すように、第１成形体４０は、便鉢部１０のうち上端面部分を除いた大部分と、リム通水路１１の下面側部分と、封水部１４の全体とを形成する。図２，４に示すように、第１成形体４０には、下面部２７の全体と、後壁部２９の全体と、左右一対の外側壁部３０Ｌ，３０Ｒの下側領域を構成する左右一対の第１リブ４１Ｌ，４１Ｒと、前壁部３１の下側領域を構成する第１壁部４２と、区画部３２の下側領域を構成する第１仕切部４３とが形成されている。第１リブ４１Ｌ，４１Ｒは、下面部２７の左右両側縁から上方へ壁状に立ち上がった形態である。第１仕切部４３は、下面部２７から上方へ台座状に膨出した形態であり、第１仕切部４３の上面は、下面部２７と同じく水平な面である。
【００２２】
第１仕切部４３の右側面は、右側供給路２６Ｒの左壁面を構成し、右側の外側壁部３０Ｒ（右側の第１リブ４１Ｒ）の前端側領域とほぼ平行をなしている。したがって、右側供給路２６Ｒの下側領域の大部分は、左右方向の幅寸法がほぼ一定な流路となっている。また、第１仕切部４３の左側面は、左側供給路２６Ｌの右壁面を構成し、左側の外側壁部３０Ｌ（左側の第１リブ４１Ｌ）の前端側領域とほぼ平行をなしている。したがって、左側供給路２６Ｌの下側領域の大部分も、左右方向の幅寸法がほぼ一定な流路となっている。
【００２３】
第２成形体５０は、便鉢部１０の上面部２８と、リム通水路１１の上面側部分とを形成する。図３，４に示すように、第２成形体５０には、上面部２８の全体と、左右一対の外側壁部３０Ｌ，３０Ｒの上側領域を構成する左右一対の第２リブ５１Ｌ，５１Ｒと、前壁部３１の上側領域を構成する第２壁部５２と、区画部３２の上側領域を構成する第２仕切部５３とが形成されている。第２リブ５１Ｌ，５１Ｒは、上面部２８の左右両側縁から下方へ壁状に垂れた形態である。
【００２４】
第２仕切部５３は、上面部２８から下方へ台座状に膨出した形態であり、第２仕切部５３の上面は、上面部２８、下面部２７及び第１仕切部４３の上面と同じく、水平な面である。第２仕切部５３の幅寸法は、前端から後端に亘ってほぼ一定であり、第１仕切部４３の後端部と概ね同じ寸法となっている。つまり、第２仕切部５３の左右両側面は、ほぼ前後方向に延びている。したがって、右側供給路２６Ｒと左側供給路２６Ｌの上側領域の幅寸法は、下流側（前方）に向かって幅広となっている。
【００２５】
上記の形状に鋳込み成形された第１成形体４０と第２成形体５０は寸法精度が比較的低いのであるが、前壁部３１と外側壁部３０Ｌ，３０Ｒに関しては、給水部２０の外面に露出している。したがって、両成形体４０，５０の接合工程では、第１壁部４２の上端面と第２壁部５２の下端面との接合状態、及び第１リブ４１Ｌ，４１Ｒの上端面と第２リブ５１Ｌ，５１Ｒの下端面との接合状態は、目視で確認することができる。これにより、前壁部３１と左右一対の外壁部に関しては、確実に液密状に接合させることができる。したがって、後部空間２５内、右側供給路２６Ｒ内、及び左側供給路２６Ｌ内の洗浄水が、前壁部３１や左右両外側壁部３０Ｌ，３０Ｒの接合面６０（図４を参照）を通って導水路２４（給水部２０）の外へ漏出することはない。
【００２６】
また、第１仕切部４３と第２仕切部５３に関しては、その左右両側が一対の外側壁部３０Ｌ，３０Ｒが覆い隠されているとともに、前側が前壁部３１で覆い隠されている。そのため、第１仕切部４３の上面と第２仕切部５３の下面との接合状態を目視で確認することはできない。そこで、後述するように仕切部４３，５３に焼成工程で亀裂が発生するのを防止するため、図４に示すように、第１仕切部４３の上面と第２仕切部５３の下面との間には、その全領域に亘って隙間Ｓが確保されている。尚、この隙間Ｓは、右側供給路２６Ｒと左側供給路２６Ｌとを連通させるのであるが、非常に狭いので、右側供給路２６Ｒと左側供給路２６Ｌとの間で洗浄水が大量に流動したり、後部空間２５内の洗浄水がこの隙間Ｓに大量に流入したりする虞はない。したがって、右側供給路２６Ｒ内及び左側供給路２６Ｌ内において洗浄水の流れが乱れたり流量が低下したりすることはない。
【００２７】
本実施例１の水洗式大便器Ａは、陶器製であり、便鉢部１０のリム通水路１１に洗浄水を供給する左右２本の供給路２６Ｌ，２６Ｒが形成された給水部２０を有し、給水部２０が、両供給路２６Ｌ，２６Ｒの下面側部分を形成する第１成形体４０と、両供給路２６Ｌ，２６Ｒの上面側を形成する第２成形体５０とを上下に接合させて構成されている。給水部２０は、第１成形体４０の上面に形成された第１リブ４１Ｌ，４１Ｒと第２成形体５０の下面に形成された第２リブ５１Ｌ，５１Ｒとによって液密状に構成された左右一対の外側壁部３０Ｌ，３０Ｒと、左右一対の外側壁部３０Ｌ，３０Ｒの間に配されて第１成形体４０の上面から突出した第１仕切部４３と、第２成形体５０の下面から突出した第２仕切部５３とを備えている。この第１仕切部４３の上面と第２仕切部５３の下面は、その全領域に亘り，相手側の成形体４０，５０（相手側の仕切部４３，５３）とは非接触となっている。そして、左右一対の外側壁部３０Ｌ，３０Ｒと両仕切部４３，５３（区画部３２）とによって左右に区画された２つの空間（つまり、仕切部４３，５３の左右両側縁に沿った２つの空間）が、左右２本の供給路２６Ｌ，２６Ｒとなっている。
【００２８】
かかる構成によれば、給水部２０を構成する左右一対の外側壁部３０Ｌ，３０Ｒに関しては、第１成形体４０と第２成形体５０を接合させる工程で接合状態を目視確認できる。これにより、第１リブ４１Ｌ，４１Ｒと第２リブ５１Ｌ，５１Ｒを確実に接合させることができ、第１リブ４１Ｌ，４１Ｒと第２リブ５１Ｌ，５１Ｒとの接合面６０に空気が閉じこめられることを確実に回避できる。したがって、焼成工程で外側壁部３０Ｌ，３０Ｒに亀裂が生じる虞は無く、亀裂の発生に起因して供給路２６Ｌ，２６Ｒ内の洗浄水が外側壁部３０Ｌ，３０Ｒから給水部２０の外へ漏出することが防止される。
【００２９】
また、左右一対の外側壁部３０Ｌ，３０Ｒの間に配された仕切部４３，５３に関しては、両仕切部４３，５３が互いに接合されているかどうかを目視確認することはできない。しかし、第１仕切部４３と第２仕切部５３の対向面同士は、その全領域に亘って非接触となっている。つまり、第１仕切部４３は第２成形体５０とは非接触であり、第２仕切部５３は第１成形体４０とは非接触である。したがって、接合工程で、第１仕切部４３（第１成形体４０）の上面と第２仕切部５３（第２成形体５０）の下面との間に空気が閉じこめられることはない。これにより、閉じこめられた空気が焼成工程で膨張することに起因して、第１仕切部４３や第２仕切部５３に亀裂が発生する、という事態が回避される。したがって、仕切部４３，５３では、亀裂が発生することに起因して供給路２６Ｌ，２６Ｒ内の洗浄水が漏出することを確実に防止できる。また、仕切部４３，５３を左右方向における中央部に配置したので、１カ所に設けた仕切部４３，５３によって２本の供給路２６Ｌ，２６Ｒを形成することができる。
【００３０】
また、第２成形体５０の上面のうち給水部２０を構成する領域には、便鉢部１０とほぼ同じ幅の載置面部２１が形成され、左右一対の外側壁部３０Ｌ，３０Ｒが、載置面部２１の左右両外縁よりも内側に配されている。この構成によれば、外側壁部３０Ｌ，３０Ｒを構成する第１リブ４１Ｌ，４１Ｒと第２リブ５１Ｌ，５１Ｒとの接合面６０の継ぎ目が、載置面部２１に隠れて上から見えないので、美観を損なわずに済む。  
また、給水部２０の後端部には、左右２本の供給路２６Ｌ，２６Ｒの上流端に連通する１つの給水口２３が設けられ、左右２本の供給路２６Ｌ，２６Ｒの下流端が便鉢部１０の左右両側縁部に配されている。そして、左右一対の外側壁部３０Ｌ，３０Ｒは後方に向かって相互間隔が狭まるように配され、左右２本の供給路２６Ｌ，２６Ｒが、その相互間隔が給水口２３に向かって次第に狭まるように斜めに延びた形態となっている。この構成によれば、第２成形部５０（給水部２０）の上面に比較的幅広の載置面部２１を確保した上で、給水部２０内の２本の供給路２６Ｌ，２６Ｒを比較的幅狭にすることができる。これにより、両供給路２６Ｌ，２６Ｒにおける洗浄水の流動を安定させることができる。
【００３１】
＜実施例２＞
次に、本発明を具体化した実施例２を図５〜図７を参照して説明する。本実施例２の水洗式大便器Ｂは、実施例１の水洗式大便器Ａにディストリビュータ７０を設けたものである。その他の構成については上記実施例１の水洗式大便器Ａと同じであるため、同じ構成については、同一符号を付し、構造、作用及び効果の説明は省略する。
【００３２】
実施例１の水洗式大便器Ａでは、洗浄水が、給水口２３から導水路２４（後部空間２５内と右側供給路２６Ｒ内と左側供給路２６Ｌ内）を流れるようになっているが、本実施例２では、洗浄水が、導水路２４内に設けたディストリビュータ７０内を流れることによって、第１吐水路１２Ｒと第２吐水路１２Ｌに供給されるようになっている。
【００３３】
ディストリビュータ７０は、基端部７１と、基端部７１から斜め右前方へ片持ち状に延出した第１ホース７２Ｒ（請求項に記載の分岐ホース）と、基端部７１から斜め左前方へ片持ち状に延出した第２ホース７２Ｌ（請求項に記載の分岐ホース）とを備えて構成されている。基端部７１は、後部空間２５内に収容され、後部空間２５の上方に位置する給水口２３に接続されている。第１ホース７２Ｒは右側供給路２６Ｒ内に収容され、第２ホース７２Ｌは第２供給路２６Ｌ内に収容されている。給水口２３から基端部７１に供給された洗浄水は、第１ホース７２Ｒと第２ホース７２Ｌとに分岐して下流側（前方）へ流れ、第１吐水路１２Ｒと第２吐水路１２Ｌに流入するようになっている。
【００３４】
ディストリビュータ７０は、給水部２０の上面における後端側領域の開口部２２から導水路２４（給水部２０）内に収容される。このとき、基端部７１から左右に分岐した第１ホース７２Ｒと第２ホース７２Ｌを、同時に、右側供給路２６Ｒ内と左側供給路２６Ｌ内に挿入する。ここで、右側供給路２６Ｒの右側面を構成する右側の外側壁部３０Ｒが、第１ホース７２Ｒを右側供給路２６Ｒ内に挿入する際のガイドとなるように滑らかな面形状を有している。また、左側供給路２６Ｌの左側面を構成する左側の外側壁部３０Ｌも、第２ホース７２Ｌを右側供給路２６Ｌ内に挿入する際のガイドとなるように滑らかな面形状を有している。したがって、ディストリビュータ７０の組付け作業を円滑に行うことができる。
【００３５】
＜他の実施例＞
本発明は上記記述及び図面によって説明した実施例に限定されるものではなく、例えば次のような実施例も本発明の技術的範囲に含まれる。  
（１）上記実施例１，２では、外側壁部を構成するリブを、第１成形体の上面と第２成形体の下面の両方に形成したが、リブは、第１成形体の上面と第２成形体の下面のうちいずか一方のみに形成されていてもよい。  
（２）上記実施例１，２では、左右両供給路を区画する仕切部を、第１成形体の上面と第２成形体の下面の両方に形成したが、仕切部は、第１成形体の上面と第２成形体の下面のうちいずか一方のみに形成されていてもよい。  
（３）上記実施例１，２では、第２成形体の上面に、幅広（便鉢部とほぼ同じ幅）の載置面部を設けたが、本発明は、第２成形体の上面に幅広の載置面部を有しない水洗式大便器にも適用することができる。  
（４）上記実施例１，２では、給水部の左右両外側壁部を、載置面部の左右両外縁よりも内側に配したが、給水部の左右両外側壁部を載置面部の左右両外縁に沿うように配してもよい。  
（５）上記実施例１，２では、左右一対の外側壁部（左右２本の供給路）が、後方（給水口側）に向かって幅狭となるように傾斜した位置関係としたが、左右一対の外側壁部（左右２本の供給路）は、互いに平行をなして前後方向に延びる形態としてもよい。  
（６）上記実施例１，２では、供給路を２本設けたが、供給路の数は、３本以上でも、１本でもよい。供給路を１本とする形態としては、仕切部を左右いずれかに偏った配置として空いた空間を供給路にする形態や、左右２つの仕切部の間を供給路にする形態が可能である。
【符号の説明】
【００３６】
Ａ…水洗式大便器
１０…便鉢部
１１…リム通水路
２１…載置面部
２３…給水口
２６Ｌ…左側供給路（供給路）
２６Ｒ…右側供給路（供給路）
３０Ｌ，３０Ｒ…外側壁部
４０…第１成形体
４１Ｌ，４１Ｒ…第１リブ（リブ）
４３…第１仕切部（仕切部）
５０…第２成形体
５１Ｌ，５１Ｒ…第２リブ（リブ）
５３…第２仕切部（仕切部）
７０…ディストリビュータ
７１…基端部
７２Ｌ…第２ホース（分岐ホース）
７２Ｒ…第１ホース（分岐ホース）
【図１】
2015190218.tif 000003
【図２】
2015190218.tif 000004
【図３】
2015190218.tif 000005
【図４】
2015190218.tif 000006
【図５】
2015190218.tif 000007
【図６】
2015190218.tif 000008
【図７】
2015190218.tif 000009